(57)【要約】【課題】２４時間換気を行う場合に、外気の風圧の変動に拘わらず、住宅の総換気風量を一定に保ちつつ、各部屋に応じた適当な局所換気を行うことができる換気装置を提供すること。【解決手段】この換気装置は、複数の室内から空気を吸い込む第１の吸込口１４，第２の吸込口１９，第３の吸込口２０を備えており、この複数の吸込口１４，１９，２０から住宅内の空気を吸い込んで住宅の外側に排気することにより換気を行う換気ファン２３と、上記吸込口１４，１９，２０から吸い込んで排出する総換気風量を一定に保ちつつ、個々の室内に応じて換気風量を制御するマイクロコンピュータ３２と、吸込口１４，１９，２０にダンパーＤ１〜Ｄ３及びダンパーモーターＭ３、Ｍ４，Ｍ５とを設けた。【選択図】  図１
2004190866.tif 000002
【特許請求の範囲】
【請求項１】
複数の室内から空気を吸い込む複数の吸込口と、該複数の吸込口から住宅内の空気を吸い込んで住宅の外側に排気することにより換気を行う空気排出手段と、前記複数の吸込口から吸い込んで排出する対象エリアが必要とする総換気風量を満たしつつ、個々の室内に応じて換気風量を制御する制御手段とを設けたことを特徴とする換気装置。
【請求項２】
複数の室内からそれぞれ空気を吸引する複数の吸込口を備え、該複数の吸込口から住宅内の空気を吸い込んで住宅の外部に排出する空気排出手段を備えた換気装置であって、
前記空気排出手段を制御する制御手段に、対象エリアの常時換気を行う常時換気モードを設けると共に、該常時換気モードの実行中は、対象エリアにおける常時換気風量を一定に保ちつつ、個々の室内における換気風量を所定風量となるように制御する風量制御機能を設けたことを特徴とする換気装置。
【請求項３】
第１，第２の何れかの換気装置において、前記複数の吸込口に風量調整手段を設けたことを特徴とする換気装置。
【請求項４】
前記複数の吸込口のうち選択された吸込口からの換気風量を基準として、選択されていない吸込口の換気風量を選択時より少なくし、対象エリアが必要とする換気風量になるように、風量調整手段を調整することを特徴とする請求項１乃至請求項３何れか記載の換気装置。
【発明の詳細な説明】
【０００１】
【発明の属する技術分野】
本発明は、一戸建てやマンションの住宅等の時間当たりにおける常時換気風量を一定に保つ換気装置に関する。
【０００２】
【従来の技術】
最近の住宅は、高気密化や高断熱化が進んでいる一方、新築住宅・新規家具・カーテンでは、カーペット、フローリング、クロス等の建材からホルムアルデヒドや揮発有機化合物を発散することが知られている。
【０００３】
このため、キッチンのレンジフードファンや、バスルーム、洗面室、トイレ等から屋外に強制的に排気するダクトファン等を頻繁に起動させて適切な換気を行い、二酸化炭素、ホルムアルデヒド、ＶＯＣ等の濃度及び湿度を低く維持し、アレルギーの発生を防ぐことが好ましい。
【０００４】
特に、閉め切った室内で石油ファンヒータ等を長時間換気なしで使用したために、酸欠状態となったり、二酸化炭素濃度が高まって頭痛等を引き起こすことや、湿度が高くなってカビやダニが発生し、アレルギーの因子となっている等が問題とされており、マンション等の高気密性住宅においては、頻繁な換気が望まれている。
【０００５】
そこで、住宅内の換気を常時行う２４時間換気を行うことが求められている。この２４時間換気とは、常時換気を低風量で行うものであり、マンションの住宅では、各室内の必要換気風量を満たすように、例えば、各室内の容積の０．５回／毎時程度の換気が必要とされている。この２４時間換気の風量は予め必要風量が得られるように住宅の施工時に設定される。
【０００６】
そこで、複数の室内を同時に換気する場合、各室内の局所換気スイッチがオンされると、換気スイッチのオンされた吸込口の開口面積を増大させる一方、他の部屋の吸込口の開口面積を狭小化し、更に換気装置のファン回転数を増大させることによって局所換気風量を確保しようとするものがある。
【０００７】
尚、多室換気に関する先行技術としては、特許文献１に示す「複室換気装置」が知られている。この「複室換気装置」は「浴室、トイレ、洗面所を換気」し、「浴室の湿気がトイレ、洗面所に浸入したり、トイレの臭気が浴室、洗面所に漏れないようにすること」を目的とするもので、「送風機の吸気側に浴室側吸気口、トイレ側吸気口、洗面所吸気口を形成し、この各吸気口をダンパーで開閉自在とし、１つのダンパーを開くことで１つの室を換気できるし、各室相互が連通しないようにする」ものである。
【０００８】
【特許文献１】
特開平１０−７３２９７号公報（０００４〜００８０、図１，図２）
【０００９】
【発明が解決しようとする課題】
しかし、従来の局所換気方式では、局所換気の対象となる部屋の換気が開始されても、他の部屋の吸込口の開口面積は「０」とはならず、それぞれの部屋の換気を同時に行うため、局所換気を行おうとする以外の部屋に換気風量を奪われてしまい、局所換気対象の部屋の換気風量が十分に得られない可能性があった。また、局所換気風量を確保しようとすると、ファンの回転数を上げなくてはならないため、騒音が増大する可能性があった。
【００１０】
更に、従来、トイレや浴室を換気した場合、住宅全体の総換気風量が変化するため、気密性の高いマンションや戸建て住宅では、総排気量が多すぎると、夏場では冷房等の省エネルギー効果が損なわれ、冬場では自然吸気口からの通気風量が強くなり、暖房効果が低下する問題がある。
【００１１】
また、風圧の強いときには、住宅の外側に臨む排気口から配管を介して住宅内に空気が逆流するため、換気風量が低下したり、空気の逆流による配管周りに結露が発生するという問題もある。
【００１２】
本願は、このような問題に着目してなされたものであり、２４時間換気を行う場合に、外気の風圧の変動に拘わらず、住宅の総換気風量を一定に保ちつつ、各部屋に応じた適当な局所換気を行うことができる換気装置を提供することを目的とする。
【００１３】
【課題を解決するための手段】
上記課題を解決するために、本願の第１の換気装置は、複数の室内から空気を吸い込む複数の吸込口と、該複数の吸込口から住宅内の空気を吸い込んで住宅の外側に排気することにより換気を行う空気排出手段と、前記複数の吸込口から吸い込んで排出する対象エリアが必要とする総換気風量を満たしつつ、個々の室内に応じて換気風量を制御する制御手段とを設けたことを特徴とする。
【００１４】
本願の第２の換気装置は、複数の室内からそれぞれ空気を吸引する複数の吸込口を備え、該複数の吸込口から住宅内の空気を吸い込んで住宅の外部に排出する空気排出手段を備えた換気装置であって、前記空気排出手段を制御する制御手段に、対象エリアの常時換気を行う常時換気モードを設けると共に、該常時換気モードの実行中は、対象エリアにおける常時換気風量を一定に保ちつつ、個々の室内における換気風量を所定風量となるように制御する風量制御機能を設けたことを特徴とする。
【００１５】
本願の第３の換気装置は、第１，第２の何れかの換気装置において、前記複数の吸込口に風量調整手段を設けたことを特徴とする。
【００１６】
本願の第４の換気装置は、請求項１乃至請求項３何れか記載の換気装置において、前記複数の吸込口のうち選択された吸込口からの換気風量を基準として、選択されていない吸込口の換気風量を選択時より少なくし、対象エリアが必要とする換気風量になるように、風量調整手段を調整することを特徴とする。
【００１７】
【発明の実施の形態】
以下、本願の実施の形態にかかる換気装置について図面に基づいて説明する。
【００１８】
図２〜図４は、浴室、脱衣室等に設置される換気装置本体１の主要な構成を模式的に示したものである。換気装置本体１の外側を覆う本体ケース２は、浴室３の天井に取り付けられる。本体ケース２には、図２，図３にも示すように、上下二段ユニットが設けられ、浴室側の下部ユニット６には、浴室３の空気を吸引する円筒型の遠心型の循環ファン７を配設する吸引開口部８と、吸い込んだ空気を浴室３に循環する循環風路９と、浴室３の空気を上部ユニット１３に案内する第１の吸込口１４とが形成されている。第１の吸込口１４にはダンパーＤ１が設けられている。
【００１９】
下部ユニット６の循環ファン７は、ファンケース１０内部に格納されており、ファンケース１０に浴室３内の空気を吸引するための吸引開口部８が形成されている。循環風路９には、ＰＴＣヒータ（Ｐｏｓｉｔｉｖｅ  Ｔｅｍｐｅｒａｔｕｒｅ  Ｃｏｅｆｆｉｃｉｅｎｔヒータ）１１が配備されている。循環用排気開口部の近傍にサーミスタからなる図示しない温度センサが設置されている。尚、ＰＴＣヒータ１１の他にカーボンヒータ１２を設けても良い。カーボンヒータ１２は入浴暖房モードを設けた際に輻射熱により入浴者を暖めることが出来る。
【００２０】
循環ファン７を回転させるためのファンモータＭ２は、ファンケース１０の上部に取り付けられ、ファンモータＭ２の出力軸には循環ファン７が固定されている。
【００２１】
上部ユニット１３は、浴室３の他に洗面所・居室等の他の部屋からの空気を換気するための換気機構を構成する。上部ユニット１３のケース１３Ａ下部には吸引開口部１５が形成されている。この吸引開口部１５は下部ユニット６との隙間Ｓを経由して浴室３に通じる第１の吸込口１４に通じており、浴室３の空気を上部ユニット１３内に吸引した後に上部ユニット１３、本体ケース２の排気口１６から排気（換気）可能とされている。１７Ａは排気口１６に臨むように本体ケース２に設けられたダクトジョイントであり、ダクトジョイント１７Ａに排気ダクト１８Ａが接続されている。
【００２２】
上部ユニット１３のファンケース１３Ａ内部には換気ファン２３が設けられており、換気ファン２３はファンモータＭ１により回転される。換気ファン２３が回転すると、第１吸込口１４及び吸引開口部１５から空気を吸い込んで上部ユニット１３の内壁に沿って移動させ、排気口１６からダクトジョイント１７Ａ、ダクト１８Ａから建物外に排気（換気）する。
【００２３】
本体ケース２の側壁部には、図３に示すように、浴室以外の洗面所や他の室内の換気を行うための第２吸込口１９，第３吸込口２０，第４吸込口２１が開口されており、これらの吸込口１９、２０にはダンパーＤ２，Ｄ３が設けられていると共に、それぞれダクトジョイント１７Ｂが設けられており、ダクトジョイント１７Ｂに吸気ダクト２２が接続されている。第４吸込口２１は閉鎖されている。
【００２４】
第１吸込口１４と第２吸込口１９，第３吸込口２０のダンパーＤ１〜Ｄ３は風量調整手段として設けられている。これらのダンパーＤ１〜Ｄ３は、図５に示すように、３枚の遮蔽板２３Ａ、２３Ｂ、２３Ｃとこれらの遮蔽板２３Ａ、２３Ｂ、２３Ｃの中央部に設けられた回転軸２４Ａ、２４Ｂ、２４Ｃと、回転軸２４Ａ、２４Ｂ、２４Ｃの端部に取り付けられたギア２５Ａ、２５Ｂ、２５Ｃとを備えている。
【００２５】
回転軸２４Ａ、２４Ｂ、２４Ｃの両端部は、吸込口１９〜２１の相対する縁部に回転可能に保持されており、ギア２５Ａ、２５Ｂ、２５Ｃは吸込口１９〜２１の外側に位置するように設置される。３本の回転軸のうちの一つの回転軸２４Ａには、駆動用のギア２６が固定されており、ギア２６はダンパーモーターＭ３（以下、ダンパーＤ１，Ｄ２も同様にダンパーモーターＭ４，Ｍ５に駆動される。）の出力軸に固定されたギア２７に噛み合っており、ダンパーモーターＭ３によって駆動される。なお、ダンパーＤ１，Ｄ２も同様な機構を介してダンパーモーターＭ４，Ｍ５により駆動される。
【００２６】
ダンパーモーターＭ３はインターフェースとしてのモーター駆動回路２８に接続されている。ダンパーモーターＭ４，Ｍ５も同様にモーター駆動回路２９，３０に接続されている。モーター駆動回路２８〜３０は、ダンパーモーターＭ３、Ｍ４，Ｍ５の正転と反転とを切り換える回路を備えており、制御ユニット３１の制御によってダンパーモーターＭ３，Ｍ４，Ｍ５の正逆回転を行うように供給電力を制御する。制御ユニット３１（図３参照）は上部ユニット１３の上部に設けられている。尚、ダンパーモーターは回転可能であれば、正逆回転式でなくても良い。
【００２７】
制御ユニット３１の制御基板には、マイクロコンピュータ３２と、電源回路とその他の周辺回路を備えている。制御ユニット３１は、ファンモータＭ１，Ｍ２、モーター駆動回路２８，２９，３０、ＰＴＣヒータ１１等を制御する。
【００２８】
電源回路は、家庭内の商用電源の電力をＰＴＣヒータ１１、ファンモータＭ１，Ｍ２、ダンパーモーターＭ３、Ｍ４，Ｍ５に供給すると共に、商用電源を低圧の直流に変換してマイクロコンピュータ３２に供給する。
【００２９】
マイクロコンピュータ３２には、図６に示すように、ＰＴＣヒータ１１、温度センサ、ファンモータＭ１，Ｍ２、ダンパーモーターＭ３、Ｍ４，Ｍ５、浴室照明スイッチＳ１、洗面所換気スイッチＳ２、トイレ換気スイッチＳ３が接続されている。
【００３０】
浴室照明スイッチＳ１は、浴室の入り口壁面等に設けられた照明用の電源スイッチの接地線に抵抗・整流器からなる直列回路を並列接続したもので、導通時に電圧を低下させてマイクロコンピュータ３２に照明が点灯されたことを検知する。洗面所換気スイッチＳ２、トイレ換気スイッチＳ２は、浴室・洗面所・トイレに設置される換気スイッチにより構成される。
【００３１】
また、マイクロコンピュータ３２には、制御線３４を介してリモートコントローラ３３が接続されている。リモートコントローラ３３は、乾燥ボタンＢ１、涼風ボタンＢ２、暖房ボタンＢ３、換気ボタンＢ４、２４時間換気ボタンＢ５、タイマー切換ボタンＢ６、タイマー合わせアップボタンＢ７、タイマー合わせダウンボタンＢ８、リセットスイッチＢ９、ＬＣＤ、ＬＥＤ１，ＬＥＤ２を有する。
【００３２】
マイクロコンピュータ３２は、リモートコントローラ３３からの操作命令に基づいて動作制御プログラムを起動する。
【００３３】
動作制御プログラムは、上記の操作ボタンＢ１〜Ｂ９の操作に応じて動作し、乾燥モードと、涼風モードと、換気モードと、タイマーモードと、２４時間換気モードとを有する。動作制御プログラムにおける２４時間換気モードでは、浴室の照明スイッチＳ１、洗面所換気スイッチＳ２、トイレ換気スイッチＳ３のオンオフ状態をも考慮して風量を調整する。
【００３４】
「乾燥」ボタンＢ１が押されると、換気装置本体１が乾燥モードとなり、循環ファンモーターＭ２が高速で回転すると共に、換気ファンモーターＭ１が中速で回転し、更に、ＰＴＣヒータ１１が発熱して、衣類等の乾燥が可能となる。
【００３５】
「涼風」ボタンＢ２が押されると、換気装置本体１が涼風モードとなり、循環ファンモーターＭ２が高速で回転し、換気ファンモーターＭ１が中速で回転する。
【００３６】
「暖房」ボタンＢ３が押されると、換気装置本体１が暖房モードになり、循環ファンヒータＭ２が高速で回転すると共に、ＰＴＣヒータ１１が発熱する。換気ファンモーターＭ１は回転しない。
【００３７】
「換気」ボタンＢ４には、換気強Ｂ４ａと換気弱Ｂ４ｂとが設けられている。換気ボタンＢ４の換気強Ｂ４ａが押されると、換気装置本体１が換気強モードとなり、換気ファンモーターＭ１が高速回転する。換気ボタンＢ４の換気弱Ｂ４ｂが押されると、換気装置本体１が換気弱モードとなり、換気ファンモーターＭ１が低速回転する。また、浴室照明スイッチＳ１がオンとされた状態で、換気ボタンＢ４が押されているときは、入力換気モードとなり、換気ファンモーターＭ１は最低速度で回転する。
【００３８】
これらの操作ボタンＢ１〜Ｂ８の操作をすると、制御線３４を介して指定された命令信号が換気装置本体１に送信され、換気装置本体１が指定された「暖房」「涼風」「乾燥」「換気」の動作を行う。
【００３９】
乾燥ボタンＢ１、涼風ボタンＢ２、暖房ボタンＢ３、換気ボタンＢ４は、それぞれボタンを押すと、バックライト照明が点灯して、指定した動作が行われていることを表示する。
【００４０】
タイマーモードでは、リモートコントローラ３３から送られてきた動作要求に基づいて、動作制御プログラムの各動作モードを選択し、その動作モードを命令された時間に開始し、終了する。
【００４１】
ＬＥＤ１は、タイマー合わせアップボタンＢ７やダウンボタンＢ８を押したときに、タイマー切換ボタンＢ６を押すことによって、選択動作を開始する、入り時刻（動作開始時刻）を表示する。ＬＥＤ２は、タイマー合わせアップボタンＢ７やダウンボタンＢ８を押したときに、タイマー切換ボタンＢ６を押すことによって、選択動作を停止する切り残時間（動作残時間）を表示する。
【００４２】
２４時間換気ボタンＢ５は、２４時間換気を行うことを命令するボタンであり、２４時間換気ボタンＢ５を３秒以内の時間だけ押すと、換気用ファン２３が回転し、２４時間換気が開始される。
【００４３】
この２４時間換気とは、常時換気を低風量で行うものであり、マンションでは、対象エリアである各室内の単位時間当たりの必要換気風量（換気回数、例えば、各室内の容積の０．５回／時間程度の換気が必要となっている。）を満たすように、マンション・戸建ての住宅等における延べ床面積に高さを乗じた容積に応じた時間当たりの換気風量が設定される。対象エリアとはマンションや戸建て住宅によって異なるが、住宅内の同一フロア内にあるものでも良く、また、複数エリアにまたがって対象エリアとしても良い。
【００４４】
２４時間換気ボタンＢ５を３秒以上押すと、２４時間換気が停止する。２４時間換気が停止されると、ＬＣＤ３２に２４時間換気が停止されていることが点滅表示され、ユーザーに示される。
【００４５】
動作制御プログラムにおける２４時間換気モードは、換気装置本体１の風量調整プログラムを有する。
【００４６】
この風量調整プログラムは、乾燥・暖房・涼風・換気等の操作ボタンＢ、浴室照明スイッチＳ１、洗面所スイッチＳ２、トイレスイッチＳ３のオンオフ状態の組合せにより、換気ファンモーターＭ１の換気風量を選択し、ダンパーＤ１〜Ｄ３の開度を選択する。
【００４７】
即ち、図１に示すように、２４時間換気ボタンＢ５が押されると（ステップ１）、風量調整プログラムが開始され、換気ボタンＢ５、浴室照明スイッチＳ１、洗面所スイッチＳ２、トイレスイッチＳ３のオンオフ状態が判別され（ステップ２）、記憶した対応テーブルから、換気ボタンＢ５の操作内容と、浴室照明スイッチＳ１、洗面所スイッチＳ２、トイレスイッチＳ３のオンオフ状態とに対応した総換気風量が決定される。
【００４８】
ステップ２において、換気ボタンＢ５の操作内容と、浴室照明スイッチＳ１、洗面所スイッチＳ２、トイレスイッチＳ３のオンオフ状態によって、総換気風量が決められた後には、記憶した対応テーブルからダンパーＤ１〜Ｄ３の対応開度データが呼び出される（ステップ３）。
【００４９】
ステップ３でダンパーＤ１〜Ｄ３の対応開度データが呼び出されたら、対応開度データに対応するように、ダンパーモーターＭ３，Ｍ４，Ｍ５を回転させ、ダンパーＤ１〜Ｄ３を所定の対応開度にする（ステップ４）。尚、ダンパーＤ１〜Ｄ３の開度は選択されたもののうち、最大となるものを基準（例えば全開）として決められている。
【００５０】
例えば、２４時間換気ボタンＢ５が押された２４時間換気モード下において、換気ボタンＢ４、洗面所スイッチＳ２、トイレスイッチＳ３が全てオフであれば、浴室、洗面所、トイレの総換気風量は例えば６０立方メートル（以下立方メートルは省略する）としてあり、ダンパーＤ１〜Ｄ３の開度調整では、各吸込口から吸い込んで排出する風量は４０である。
【００５１】
２４時間換気モードに加えて、浴室の局所換気が選択されているときには、総換気風量は７０となり、浴室の換気風量は６０で洗面所とトイレの換気風量はそれぞれ１０となる。
【００５２】
また、２４時間換気モードに加えて、浴室と洗面所の２つの局所換気が選択されているときには、浴室と洗面所での必要な換気風量を合算し、更にトイレの最低風量を合算した総換気風量は８０となり、浴室が５０、洗面所が３０、トイレが０となる。２４時間換気モードに加えて、浴室とトイレの局所換気が選択されているときは、前記算出法により、総換気風量は１７０となり、浴室が６０、洗面所１０，トイレ４０という風量になる。この実施の形態では最低風量を１０としたが、この値はこれに限らず、０でも良い。
【００５３】
要は、２４時間換気モード下にあって、浴室、洗面所、トイレの何れかの換気が求められているときは、該当する室内の換気は最大設定風量となり、該当しない室内の風量は少量となっている。
【００５４】
また、２４時間換気モード下であり、且つ、浴室に入浴中の場合には、浴室、洗面所、トイレの総換気風量は８０を保ったままとして、浴室の換気はいずれも最低風量１０とし、洗面所・トイレを３０とする。浴室に入浴中で洗面所の換気が選択されれば、洗面所を最大風量４０とし、トイレを３０とする。トイレの換気が選択されれば、トイレを４０とし、洗面所を３０として速く排出したいと思われるトイレを優先する。
【００５５】
また、２４時間換気モード下であり、且つ、乾燥モード又は涼風モードが選択されている場合には、浴室、洗面所、トイレの総換気風量は最低の６０を基準とする。この状態で、浴室の乾燥ボタンＢ１・涼風ボタンＢ２が選択されているときは、浴室の換気風量は中速で４０が選択される。浴室の換気風量４０に対して洗面所・トイレのいずれもが選択されていなければ、洗面所・トイレは１０とされる。浴室の換気風量４０に対して洗面所が選択されれば洗面所が３０とされ、トイレが０とされる。また、浴室の換気風量４０に対して、トイレが選択されればトイレが３０となり、洗面所が０となる。
【００５６】
更に、２４時間換気モード下において、暖房ボタンＢ３が押されたときには、浴室の換気風量は０とされ、洗面所・トイレはスイッチのオンオフに拘わらず、３０とされる。
【００５７】
浴室・洗面所・トイレのいずれも換気する状態にあるときは、浴室を６０とし、洗面所・トイレをそれぞれ４０として総換気風量１３０と最大とすることも可能であり、浴室・洗面所・トイレのいずれも４０として総換気風量を１２０とすることも可能である。
【００５８】
以上説明したように、この実施の形態にかかる換気装置は、複数の室内からそれぞれ空気を吸い込む第１の吸込口１４，第２の吸込口１９，第３の吸込口２０を備えており、この複数の吸込口１４，１９，２０から住宅内の空気を吸い込んで住宅の外側に排気することにより換気を行う換気ファン２３と、上記吸込口１４，１９，２０から吸い込んで排出する対象エリアが必要とする総換気風量を一定に保ちつつ、個々の室内に応じて換気風量を制御するマイクロコンピュータ３２（制御手段）と、吸込口１４，１９，２０にダンパーＤ１〜Ｄ３及びダンパーモーターＭ３、Ｍ４，Ｍ５（風量調整手段）とを設けたものである。
【００５９】
そして、マイクロコンピュータ３２は、住宅全体の常時換気を行う２４時間換気モード（常時換気モード）を設けると共に、２４時間換気モードの実行中は、住宅全体における総換気風量若しくは複数の室内の総換気風量の何れかを一定に保ちつつ、個々の室内における換気風量を所定風量となるように制御するものである。
【００６０】
対象エリアの必要とする常時換気風量（換気回数）は、前述のように、各室内の容積（０．５回／ｈ）によってきまっている。また、浴室、洗面所、トイレそれぞれが選択された場合の局所換気風量が決まっている。選択されたエリアの換気風量を一定に制御し、選択されていないエリアについては、住宅全体の対象エリアの常時換気風量を満たし、その必要な常時換気風量に近づけるように設定した値に制御している。各風量の数値については記載したものに限定されるものではなく、対象エリアにより種々多様である。
【００６１】
特に、局所換気を行う浴室や洗面所、トイレ等の特定の吸込口の換気風量を基準として、その他の室内の吸込口の換気風量を当該室内に合わせて室内の換気風量を抑制する風量とするように、ダンパーモーターＭ３、Ｍ４，Ｍ５を調整するので、２４時間換気モードにおける総換気風量を一定に保ちつつ、局所換気を十分に行うことができる。
【００６２】
また、風量センサ等を設け、各室内の風量を所定回数になるように、制御プログラムで演算して制御しても良い。
【００６３】
尚、本発明の換気装置は浴室換気装置について説明したがこれに限定されるものではなく、室内用換気装置にも適用可能なものである。
【００６４】
【発明の効果】
本願の第１の換気装置によれば、住宅全体等の対象エリアに必要な総換気風量を一定に保ちつつ、個々の室内に応じた換気風量を確保可能となる。
【００６５】
本願の第２の換気装置によれば、常時換気（低送風量による２４時間の換気）を行いつつ、複数の室内に応じた適切な換気を行うことができる。
【００６６】
本願の第３の換気装置によれば、複数の吸込口に設けた風量調整手段を制御手段によって制御することにより、住宅全体等の対象エリア若しくは複数の室内の総換気風量を維持しつつ、各室内の換気風量を増減して各室内に応じた換気風量を得ることができる。
【００６７】
本願の第４の換気装置によれば、選択された室内（例えば、浴室等）の換気風量を一定にし、その他の室内の換気風量を各々の室内に応じて適切な換気風量に調整することが出来、住宅全体の総換気風量が一定値に近くなる。
【図面の簡単な説明】
【図１】本発明の実施の形態にかかる換気装置の風量制御の流れを示す流れ図。
【図２】図１の換気装置の断面図。
【図３】図１の換気装置の上部平断面図。
【図４】図１の換気装置の縦断面図。
【図５】風量調整手段としてのダンパーの機構を示す概略図。
【図６】制御手段としてのマイクロコンピュータのブロック図。
【図７】リモートコントローラの平面図。
【符号の説明】
１  換気装置本体
１４  第１の吸込口
１９  第２の吸込口
２０  第３の吸込口
２３  換気ファン
Ｄ１〜Ｄ３  ダンパー
Ｍ１  換気モーター
Ｍ２  循環モーター
Ｍ３  ダンパーモーター
Ｍ４  ダンパーモーター
Ｍ５  ダンパーモーター
３２  マイクロコンピュータ
３３  リモートコントローラ
【図１】
2004190866.tif 000003
【図２】
2004190866.tif 000004
【図３】
2004190866.tif 000005
【図４】
2004190866.tif 000006
【図５】
2004190866.tif 000007
【図６】
2004190866.tif 000008
【図７】
2004190866.tif 000009